(57)【特許請求の範囲】
【請求項１】
撮像レンズおよび当該撮像レンズを収納したレンズバレルが設けられた可動部と、モジュール外殻であるカバー、および、上記撮像レンズによって集光された光が入射する位置に設けられた撮像素子が設けられた撮像部と、を備えたカメラモジュールであって、当該可動部と当該撮像素子との相対位置を変えることにより光学的に手振れを補正する機能を有するカメラモジュールと、
上記カメラモジュールを収容するカメラケースと、
上記カメラケースを挟んで上記カメラモジュールから所定の距離離れた位置に、且つ、上記カメラモジュールに対して交差する２つの方向に、それぞれ配置された２つの磁性体と、
を筐体内に備えている電子機器であって、
上記カメラモジュールは、上記可動部と上記撮像部とが弾性部材によって連結されており、上記可動部に更に設けられたマグネットと、上記撮像部の、上記カバーの配設位置よりも上記マグネットに近接した位置に設けられた手振れ補正用コイルとによって上記相対位置を変える構成となっており、
上記２つの磁性体はそれぞれ、上記撮像素子の撮像面が重力方向に平行である状態において、上記カメラモジュールに対して当該磁性体が配置される方向が重力に抗する方向であるとき、当該方向に当該マグネットの位置を動かす磁力が、当該磁性体と上記マグネットとの間に生じる位置に配設されていることを特徴とする、手振れ補正機能付きカメラモジュールを搭載した電子機器。
【請求項２】
上記磁性体は、永久磁石であり、
上記撮像素子の撮像面が重力方向に平行である状態において、上記永久磁石は、上記カメラケースを挟んで上記カメラモジュールよりも天側に配設されており、
上記永久磁石と上記マグネットとの間に吸引力が働くように、上記永久磁石の極性が定められていることを特徴とする請求項１に記載の、手振れ補正機能付きカメラモジュールを搭載した電子機器。
【請求項３】
上記磁性体は、永久磁石であり、
上記撮像素子の撮像面が重力方向に平行である状態において、上記永久磁石は、上記カメラケースを挟んで上記カメラモジュールよりも地面側に配設されており、
上記永久磁石と上記マグネットとの間に反発力が働くように、上記永久磁石の極性が定められていることを特徴とする請求項１に記載の、手振れ補正機能付きカメラモジュールを搭載した電子機器。
【請求項４】
スピーカーを更に備えており、
上記磁性体は、上記スピーカーに搭載されている部材であることを特徴とする請求項１〜３のいずれか１項に記載の、手振れ補正機能付きカメラモジュールを搭載した電子機器。
【請求項５】
バイブレータを更に備えており、
上記磁性体は、上記バイブレータに搭載されている部材であることを特徴とする請求項１〜３のいずれか１項に記載の、手振れ補正機能付きカメラモジュールを搭載した電子機器。
【請求項６】
上記磁性体は、強磁性体であり、
上記撮像素子の撮像面が重力方向に平行である状態において、上記強磁性体は、上記カメラケースを挟んで上記カメラモジュールよりも天側に配設されていることを特徴とする請求項１に記載の、手振れ補正機能付きカメラモジュールを搭載した電子機器。
【請求項７】
上記磁性体は、第１の磁性体と第２の磁性体とを有し、
上記撮像素子の撮像面が重力方向に平行である状態において、
上記第１の磁性体は、上記カメラケースを挟んで上記カメラモジュールよりも天側に配設されており、且つ、上記第２の磁性体は、上記カメラケースを挟んで上記カメラモジュールよりも地面側に配設されており、
上記第１の磁性体は、（ｉ）永久磁石であって、当該永久磁石と上記マグネットとの間に吸引力が働くように、上記永久磁石の極性が定められている当該永久磁石か、もしくは、（ｉｉ）強磁性体であり、
上記第２の磁性体は、永久磁石であって、当該永久磁石と上記マグネットとの間に反発力が働くように、上記永久磁石の極性が定められていることを特徴とする、請求項１に記載の、手振れ補正機能付きカメラモジュールを搭載した電子機器。
【発明の詳細な説明】
【技術分野】
【０００１】
本発明は、手振れ補正機能を備えたカメラモジュールを搭載した、携帯電話等の電子機器に関するものであって、特にカメラモジュールとスピーカー等の磁性体を有する部品との配置関係に関するものである。
【背景技術】
【０００２】
近年の携帯電話では、携帯電話内にカメラモジュールを組み込んだ機種が大半を占めるようになってきている。これらのカメラモジュールは、携帯電話の筐体内に収納しなければならないため、デジタルカメラと比べて、小型化、軽量化に対する要求が大きい。
【０００３】
このようなカメラモジュールの中で、レンズ駆動装置によってオートフォーカス機能を発揮するタイプのものが携帯電話等の電子機器に搭載される例も増加してきている。レンズ駆動装置には、ステッピングモータを利用するタイプ、圧電素子を利用するタイプ、ＶＣＭ（Voice Coil Motor：ボイスコイルモータ）を利用するタイプなど、様々なタイプが存在し、すでに市場に流通している。
【０００４】
一方、上記のようにオートフォーカス（ＡＦ）機能を有するカメラモジュールが当たり前になってきた状況においては、次なる特徴出しの機能として手振れ補正機能が注目されてきている。手振れ補正機能は、デジタルカメラやムービーでは世の中で広く採用されているが、携帯電話ではサイズ面の問題などがあって、これまでは搭載が進まなかったものの、小型化技術も進展し、ようやく搭載機種が商品化され始めた状況であり、今後は手振れ補正機能付きカメラモジュールを搭載した携帯電話が増加していくと予想される。
【０００５】
携帯電話内におけるカメラモジュールの配置については、たとえば特許文献１に記載されているように、多くの場合、携帯電話の厚さ方向がカメラモジュールの光軸となるように搭載されている。したがって、ユーザーは通常、携帯電話の厚さ方向が水平方向となるように構えて、すなわちカメラモジュールの撮像素子の撮像面が重力方向に平行となるように構えて、正面の被写体を撮影することとなる。
【０００６】
携帯電話に搭載することを意識した手振れ補正機能付きカメラモジュールが特許文献２に記載されている。特許文献２では、光学的手振れ補正機構（ＯＩＳ：Ｏｐｔｉｃａｌ  Ｉｍａｇｅ  Ｓｔａｂｉｌｉｚｅｒ）について説明されており、特にオートフォーカス用レンズを光軸に垂直なＸ軸、Ｙ軸方向について撮像素子に対して相対変位させることにより、手振れを補正する「バレルシフト方式」と呼ばれる手振れ補正装置について説明されている。この特許文献２では、レンズをＸ軸、Ｙ軸方向に駆動できるように４本のサスペンションワイヤーによって可動部を指示する構造が示され、可動部を駆動するための駆動手段として、可動部にマグネットを、固定部にコイルを配した、いわゆる「ムービングマグネット方式」を採用した構造が示されている。
【先行技術文献】
【特許文献】
【０００７】
【特許文献１】特開２０１０−１４１６２９号公報（２０１０年６月２４日公開）
【特許文献２】特開２０１１−６５１４０号公報（２０１１年３月３１日公開）
【発明の概要】
【発明が解決しようとする課題】
【０００８】
特許文献２に示すような手振れ補正機能付きカメラモジュールでは、レンズをＸ軸、Ｙ軸方向に駆動できるように４本のサスペンションワイヤーで支持する構造を採用している。多くのユーザーが携帯電話で写真撮影を行う場合に構える姿勢は、カメラモジュールに具備された撮像素子の撮像面が重力方向に平行である姿勢であり、サスペンションワイヤーで支持された手振れ補正の可動部が、サスペンションワイヤーのバネ力と釣り合う位置まで変位する、いわゆる自重落下が生じることになる。
【０００９】
このような自重落下が発生すると、センサーに対してレンズ位置がシフトしてしまい、被写体の狙い位置がずれてしまうことになるため、通常は手振れ補正機能を動作させたときにレンズ駆動装置にＤＣ電流を加え、自重落下方向に抗する方向にレンズ位置を持ち上げて自重落下による位置ズレを解消する。しかしながら、このように電流を加えることは、余計な消費電力が発生することになり、携帯電話の電池残量を減らしてしまうことにもつながる。位置ズレの解消に用いる電流量を減らすためには、レンズ駆動装置の推力をアップすること、可動部重量を低減することが有効であるが、限られたサイズの中で推力アップは容易ではなく、レンズ性能を維持したままでの可動部の軽量化も非常に難しい。
【００１０】
本発明は、上記従来の問題点に鑑みなされたものであって、その目的は、手振れ補正機能を備えたカメラモジュールを搭載する電子機器において、カメラモジュールにおける、レンズを具備する可動部の自重落下による位置ズレを低消費電力にて効果的に解消することができる、手振れ補正機能付きカメラモジュールを搭載した電子機器を提供することにある。
【課題を解決するための手段】
【００１１】
本願発明者は、携帯電話等の電子機器には、カメラモジュールの他に、スピーカーやバイブレータなどの磁力を発生するパーツが配置されていることに着目して本願発明を完成するに至った。
【００１２】
すなわち、上記目的を達成するために、本発明に係る、手振れ補正機能付きカメラモジュールを搭載した電子機器は、
撮像レンズおよび当該撮像レンズを収納したレンズバレルが設けられた可動部と、モジュール外殻であるカバー、および、上記撮像レンズによって集光された光が入射する位置に設けられた撮像素子が設けられた撮像部と、を備えたカメラモジュールであって、当該可動部と当該撮像素子との相対位置を変えることにより光学的に手振れを補正する機能を有するカメラモジュールと、
上記カメラモジュールを収容するカメラケースと、
上記カメラケースを挟んで上記カメラモジュールから所定の距離離れた位置に、且つ、上記カメラモジュールに対して交差する２つの方向に、それぞれ配置された２つの磁性体と、
を筐体内に備えている電子機器であって、
上記カメラモジュールは、上記可動部と上記撮像部とが弾性部材によって連結されており、上記可動部に更に設けられたマグネットと、上記撮像部の、上記カバーの配設位置よりも上記マグネットに近接した位置に設けられた手振れ補正用コイルとによって上記相対位置を変える構成となっており、
上記２つの磁性体はそれぞれ、上記撮像素子の撮像面が重力方向に平行である状態において、上記カメラモジュールに対して当該磁性体が配置される方向が重力に抗する方向であるとき、当該方向に当該マグネットの位置を動かす磁力が、当該磁性体と上記マグネットとの間に生じる位置に配設されていることを特徴としている。
【００１３】
本発明のような、いわゆるムービングマグネット型のカメラモジュールを搭載している電子機器は、カメラモジュールの可動部がカメラモジュール外部からの磁力の影響を受けやすい。そのため、従前は、磁力が発生するパーツをカメラモジュール近傍に搭載しない対策がとられている。本願発明者は、ここに注目し、磁力を発生するパーツの磁力を利用してカメラモジュールの可動部の自重落下量を抑制することを想起した。
【００１４】
そこで、本発明に係る、カメラモジュールを搭載した電子機器は、上記構成を具備することにより、カメラモジュールの上記可動部に搭載されたマグネットと、電子機器のカメラモジュール近傍に配置された磁性体との間に働く磁力によって、当該マグネットを重力に抗する方向に動かす。これに伴い、上記可動部が重力に抗する方向に動くため、上記撮像素子の撮像面が重力方向に平行である状態において、可動部の自重落下量を、磁性体が無い状態の可動部の自重落下量よりも抑制することができる。そのため、可動部の自重落下による可動部の位置ズレを解消するために消費する電流量を、磁性体が無い状態の可動部の自重落下による位置ズレを解消するために消費する電流量よりも低減させることができる。
【００１５】
よって、レンズを具備する可動部の自重落下による位置ズレを低消費電力にて効果的に解消することができる、手振れ補正機能付きカメラモジュールを搭載した電子機器を提供することができる。
【００１６】
また、本発明に係る、手振れ補正機能付きカメラモジュールを搭載した電子機器の一形態は、上記の構成に加えて、
上記磁性体は、永久磁石であり、
上記撮像素子の撮像面が重力方向に平行である状態において、上記永久磁石は、上記カメラケースを挟んで上記カメラモジュールよりも天側に配設されており、
上記永久磁石と上記マグネットとの間に吸引力が働くように、上記永久磁石の極性が定められていることが好ましい。
【００１７】
上記構成によれば、永久磁石の磁力を利用して可動部の自重落下量を低減することができる。
【００１８】
上記構成によれば、上記永久磁石は、上記カメラケースを挟んで上記カメラモジュールよりも天側に配設されているので、例えば、上記マグネットの天側がＳ極であれば、上記永久磁石のＮ極を上記マグネットに対して近接するように永久磁石を配設し、上記マグネットの天側がＮ極であれば、上記永久磁石のＮ極を上記マグネットから遠く離して当該永久磁石のＳ極を上記マグネットに対して近接するように永久磁石を配設する。これにより、上記カメラモジュールよりも天側に配設された永久磁石と、上記マグネットとの間に吸引力が働いて、永久磁石が上記マグネットを可動部ごと天側に引き上げる。そのため、可動部の自重落下量を抑制することができる。
【００１９】
また、本発明に係る、手振れ補正機能付きカメラモジュールを搭載した電子機器の一形態は、上記の構成に加えて、
上記磁性体は、永久磁石であり、
上記撮像素子の撮像面が重力方向に平行である状態において、上記永久磁石は、上記カメラケースを挟んで上記カメラモジュールよりも地面側に配設されており、
上記永久磁石と上記マグネットとの間に反発力が働くように、上記永久磁石の極性が定められていることが好ましい。
【００２０】
上記構成によれば、永久磁石の磁力を利用して可動部の自重落下量を低減することができる。
【００２１】
上記構成によれば、上記永久磁石は、上記カメラケースを挟んで上記カメラモジュールよりも地面側に配設されているので、例えば、上記マグネットの地面側がＳ極であれば、上記永久磁石のＮ極を上記マグネットから遠く離して当該永久磁石のＳ極を上記マグネットに対して近接するように永久磁石を配設し、上記マグネットの地面側がＮ極であれば、上記永久磁石のＳ極を上記マグネットから遠く離して当該永久磁石のＮ極を上記マグネットに対して近接するように永久磁石を配設する。これにより、上記カメラモジュールよりも地面側に配設された永久磁石と、上記マグネットとの間に反発力が働いて、永久磁石が上記マグネットを可動部ごと天側に持ち上げる。そのため、可動部の自重落下量を抑制することができる。
【００２２】
また、本発明に係る、手振れ補正機能付きカメラモジュールを搭載した電子機器の一形態は、上記の構成に加えて、
スピーカーを更に備えており、
上記磁性体は、上記スピーカーに搭載されている部材であることが好ましい。
【００２３】
上記構成によれば、電子機器の中に搭載されるスピーカーの磁力を利用して自重落下を低減できるため、磁性体を単独の部材として設ける場合と比べて、部品点数を増やすことなく低消費電力化が図れるという効果を奏する。
【００２４】
また、本発明に係る、手振れ補正機能付きカメラモジュールを搭載した電子機器の一形態は、上記の構成に加えて、
バイブレータを更に備えており、
上記磁性体は、上記バイブレータに搭載されている部材であることが好ましい。
【００２５】
上記構成によれば、電子機器の中に搭載されるバイブレータの磁力を利用して自重落下を低減できるため、磁性体を単独の部材として設ける場合と比べて、部品点数を増やすことなく低消費電力化が図れるという効果を奏する。
【００２６】
また、本発明に係る、手振れ補正機能付きカメラモジュールを搭載した電子機器の一形態は、上記の構成に加えて、
上記磁性体は、強磁性体であり、
上記撮像素子の撮像面が重力方向に平行である状態において、上記強磁性体は、上記カメラケースを挟んで上記カメラモジュールよりも天側に配設されていることが好ましい。
【００２７】
上記の発明によれば、鉄などの強磁性体によってカメラモジュールの可動部に配置されたマグネットが吸引され、重力を補正する方向に磁力が働くことにより、自重落下を低減できるため、低消費電力化が図れるという効果を奏する。
【００２８】
また、本発明に係る、手振れ補正機能付きカメラモジュールを搭載した電子機器の一形態は、上記の構成に加えて、
上記磁性体は、第１の磁性体と第２の磁性体とを有し、
上記撮像素子の撮像面が重力方向に平行である状態において、
上記第１の磁性体は、上記カメラケースを挟んで上記カメラモジュールよりも天側に配設されており、且つ、上記第２の磁性体は、上記カメラケースを挟んで上記カメラモジュールよりも地面側に配設されており、
上記第１の磁性体は、（ｉ）永久磁石であって、当該永久磁石と上記マグネットとの間に吸引力が働くように、上記永久磁石の極性が定められている当該永久磁石か、もしくは、（ｉｉ）強磁性体であり、
上記第２の磁性体は、永久磁石であって、当該永久磁石と上記マグネットとの間に反発力が働くように、上記永久磁石の極性が定められていることが好ましい。
【００２９】
上記の発明によれば、カメラケースおよびカメラモジュールを挟んで天側と地面側との双方から、上記カメラモジュールの上記マグネットを重力方向に抗した方向に動かすような磁力が働くので、効果的に自重落下を低減することができる。
【発明の効果】
【００３０】
本発明の、手振れ補正機能付きカメラモジュールを搭載した電子機器は、以上のような構成とすることにより、カメラモジュールの可動部に搭載されたマグネットと、電子機器のカメラモジュール近傍に配置された磁性体との間に働く磁力によって、可動部の自重落下量を低減することができ、ひいては自重落下による位置ズレを低消費電力にて効果的に解消することができる。
【図面の簡単な説明】
【００３１】
【図１】本発明の第１実施形態に係るカメラモジュールを搭載した電子機器の部分破断斜視図である。
【図２】図１の電子機器のＡ−Ａ矢視断面図である。
【図３】図１の電子機器における、光軸に垂直な断面図である。
【図４】図１の電子機器における筐体内部の平面図である。
【図５】図１の電子機器の変形例における筐体内部の平面図である。
【図６】図１の電子機器の変形例における筐体内部の平面図である。
【図７】本発明の第２実施形態に係るカメラモジュールを搭載した電子機器を示す図である。
【発明を実施するための形態】
【００３２】
〔第１実施形態〕
本発明に係る電子機器の一実施形態（第１実施形態）について、図１〜図６を参照しつつ説明する。図１は、本発明の第１実施形態に係るスマートフォン型の携帯電話（電子機器）５０の部分破断斜視図である。図２は、図１の携帯電話５０のＡ−Ａ矢視断面の断面図である。図３は、携帯電話５０に搭載されているカメラモジュール３０の、光軸に垂直な面における断面図である。なお、図１では、携帯電話５０の筐体５１、および保持部材（カメラケース４０）によって筐体５１に固定されているカメラモジュール３０のみを、筐体５１の一部を切断して筐体５１内が見えるように示した上で、本発明に関係のない他の部材は示していない。
【００３３】
以下の説明では、図１に示すように、互いに直交する３方向のそれぞれをＸ方向、Ｙ方向およびＺ方向とし、Ｚ方向は、携帯電話５０に設けられたカメラモジュールに入射する光の光軸の方向（光軸方向）と一致し、Ｘ方向は、光軸方向に直交する第１方向とし、Ｙ方向は、光軸方向とＸ方向とに直交する第２方向とする。
【００３４】
本実施形態に係るスマートフォン型の携帯電話５０は、外殻である筐体５１の内部に、カメラモジュール３０と、カメラモジュール３０を覆うカメラケース４０と、スピーカー（磁性体、永久磁石）６０とを備えている。
【００３５】
（カメラモジュールおよびカメラケースの構成）
カメラモジュール３０は、小型のカメラであり、集光用の撮像レンズを収納したレンズバレルを含む可動部を、撮像レンズを通過する光の光軸に直交しかつ互いに直交する第１方向および第２方向に移動させることによって、光学的に手振れを補正する機能を有している。
【００３６】
カメラモジュール３０の詳細について、図２および図３を用いて説明する。カメラモジュール３０は、撮像レンズ１、撮像レンズ１を収納するレンズバレル２、およびレンズバレル２を内部に保持するとともに接着剤３によって固定されているレンズホルダー４を有している。そして、カメラモジュール３０は、撮像レンズ１をＸ方向、Ｙ方向およびＺ方向に駆動するためのレンズ駆動装置５と、撮像レンズ１を経由した光の光電変換を行う、撮像面を有する撮像素子６を基板７上に載置するとともに、撮像素子６の撮像面をカバーするセンサカバー８およびガラス基板９を備えた撮像装置１０とが光軸方向に積層されている。以下の説明では、便宜上、撮像レンズ１側を上方、撮像装置１０側を下方とする。
【００３７】
レンズホルダー４は、接着剤３によってレンズバレル２を固定するための構成である。また、レンズホルダー４は、上方を１枚のＡＦバネ１２ａによって、下方を１枚のＡＦバネ１２ｂによって、中間保持部材１３に対してＺ方向に可動に支持されている。レンズホルダー４は、その外周部にＡＦコイル１４を固定している。レンズホルダー４は、Ｚ方向の可動範囲における無限遠側のメカ端（可動範囲の撮像素子６側の基準位置）において、その突起部４ａが中間保持部材１３に当接している。
【００３８】
中間保持部材１３は、ＡＦコイル１４と離間して、モジュール内永久磁石（マグネット）１５を固定している。中間保持部材１３は、４本のサスペンションワイヤー１６（弾性部材）によって、固定部（撮像部）に対してＸ方向およびＹ方向に可動に支持されている。
【００３９】
中間保持部材１３とともに、撮像レンズ１、レンズバレル２、接着剤３、レンズホルダー４、ＡＦばね１２ａ・１２ｂ、ＡＦコイル１４およびモジュール内永久磁石１５も一体的に駆動する。すなわち、撮像レンズ１、レンズバレル２、接着剤３、レンズホルダー４、ＡＦばね１２ａ・１２ｂ、中間保持部材１３、ＡＦコイル１４およびモジュール内永久磁石１５から構成されている可動部が、Ｘ方向およびＹ方向に一体的に駆動される。一方、上記固定部は、撮像装置１０、モジュール外殻としてのモジュールカバー１７、ＯＩＳコイル（手振れ補正用コイル）１８、ベース１９、等から構成されており、これらは位置固定されている。そのため、上記可動部の駆動によって、固定部と可動部との相対位置が変化する。
【００４０】
モジュール内永久磁石１５は、ＡＦ駆動用の永久磁石と手振れ補正用の永久磁石とを共通化した兼用の永久磁石である。モジュール内永久磁石１５は、Ｚ方向に対してレンズバレル２の半径方向外側に、Ｘ方向およびＹ方向に互いに対向して４つ配置されている。換言すれば、モジュール内永久磁石１５は、レンズバレル２の外周における、Ｘ方向に沿って撮像レンズ１を挟んで対向する２箇所と、Ｙ方向に沿って撮像レンズ１を挟んで対向する２箇所とに設けられている。
【００４１】
ＯＩＳコイル１８は、図３に示すように、中間保持部材１３の外側に８つ設けられている。ＯＩＳコイル１８は、可動部をＸ方向およびＹ方向に移動（揺動）させるためのものである。ＯＩＳコイル１８とモジュール内永久磁石１５との組合せは、ボイスコイルモータ（ＶＣＭ）として働く。なお、ＯＩＳコイル１８は、モジュール内永久磁石１５に対して所定の距離を隔てて配置されていればよく、例えば、中間保持部材１３の下方にベース１９に固定された状態で設けられていてもよい。また、ＯＩＳコイル１８の個数も特に限定されない。
【００４２】
４本のサスペンションワイヤー１６は、下端側がベース１９に固定され、上端側がＡＦバネ１２ａに固定され、可動部の外側に、Ｚ方向に沿って延在する。４本のサスペンションワイヤー１６は、可動部をＸ方向およびＹ方向に可動に支持している。なお、サスペンションワイヤー１６の本数は特に限定されない。
【００４３】
レンズバレル２の一部は、ベース１９の開口１９ａ内にまで入り込んでいる。撮像レンズ１のフランジバック（レンズバレル２の下端面から撮像素子６面までの距離）を十分に大きく取ることが困難なため、このような構成になる場合が多い。
【００４４】
レンズ駆動装置５は、センサカバー８上に搭載されている。レンズ駆動装置５は、ＡＦばね１２ａ・１２ｂ、中間保持部材１３、ＡＦコイル１４、モジュール内永久磁石１５、サスペンションワイヤー１６、ＯＩＳコイル１８およびベース１９から構成される。
【００４５】
センサカバー８は、突起８ａの先端に形成された基準面が撮像素子６の撮像面の端部に当接しており、撮像素子６全体をカバーするように載置されている。センサカバー８の撮像レンズ１側には開口８ｂが設けられている。開口８ｂは赤外線カット機能を備えたガラス基板９によって塞がれている。撮像素子６は基板７上に搭載され、公差によって生じるセンサカバー８と基板７との間の隙間は接着剤２０によって塞がれた状態で、センサカバー８と基板７とが接着固定される。
【００４６】
レンズバレル２およびレンズホルダー４にはねじが形成されておらず、レンズホルダー４が無限遠側のメカ端に位置する状態で、レンズバレル２が所定の位置に位置するように固定される。レンズバレル２とセンサカバー８との間には、１０μｍ程度の隙間が形成されている。このように、１０μｍ程度の隙間を形成した状態でレンズバレル２を位置決めするためには、治具を用いてレンズバレル２の位置を保持した状態で接着すればよい。
【００４７】
次に、レンズバレル２のレンズホルダー４への取付位置について説明する。撮像レンズ１の位置は、無限遠側メカ端位置において合焦するように、撮像素子６面との距離が設定されるのが望ましい。しかし、レンズバレル２に対する撮像レンズ１の取付位置公差、センサカバー８の厚さ公差等が存在し、部材ごとのばらつきが存在する。そのため、フォーカス調整を行わずにメカ当たりで位置決めしようとした場合には誤差が残存する。誤差があっても、レンズ駆動装置５のストローク範囲内で合焦位置を見つける必要があるため、合焦位置の設計センター値よりも若干、撮像素子６側に寄った位置に撮像レンズ１を取り付ける必要がある。このずらし量をオーバーインフと呼ぶ。オーバーインフを大きく設定すれば、レンズ駆動装置５のストロークがその分だけ大きくなるため、オーバーインフは必要最小限に留める必要がある。上記の様々な公差を累計すると、２５μｍ程度のオーバーインフ量が適当となるが、この値は部品の製造公差や組立公差に影響されるため、実態に合った最小限の値に設定することが望ましい。
【００４８】
本発明の構造のように、撮像素子６に対して直接、センサカバー８の下側の基準面を突き当てるとともに、厚さの精度を高めたセンサカバー８を用い、かつセンサカバー８の上面に対して（レンズ駆動装置５の下面に対して、と換言できる）、高精度にレンズバレル２を位置決めするからこそ、２５μｍ程度のオーバーインフ量で成り立っているとも言える。図２の例では、無限遠の被写体に対する合焦位置よりも２５μｍだけ撮像素子６側に寄った位置にレンズバレル２が取り付けられ、その状態でセンサカバー８とレンズバレル２との間に隙間が存在している。
【００４９】
次に、カメラモジュール３０を携帯電話５０に実装固定する構造について説明する。カメラモジュール３０の外側には、カメラモジュール３０を収納するためのカメラケース４０が配置されている。
【００５０】
カメラケース４０は、シールドの効果も有するように非磁性の導電性材料が望ましく、具体例としてはアルミ合金または銅合金、非磁性ステンレスなどを用いて構成することができる。
【００５１】
カメラモジュール３０は、接着剤２１によってカメラケース４０に固定されている。つまり、カメラケース４０はカメラモジュール３０に対する保持部材の役割も兼ねている。カメラケース４０は、携帯電話５０の筐体５１に対してネジ５２によって固定されている。このようにして、カメラモジュール３０は筐体５１に対して強固に固定される。
【００５２】
なお、カメラモジュール３０とカメラケース４０との固定は、接着剤２１に限定されず、ネジ固定によって固定してもよい。但し、カメラモジュール３０とカメラケース４０との固定は、省スペースの観点からは、接着剤２１による固定方法が好ましい。また、カメラケース４０と筐体５１との固定は、ネジ５２に限定されず、接着剤によって固定してもよい。但し、カメラケース４０と筐体５１との固定は、リワークの容易性の観点から、ネジ固定の部分を残しておくことが好ましい。
【００５３】
本実施形態の携帯電話５０は、概ね直方体の形状を有している。すなわち、筐体５１が概ね直方体の形状を有している。そして、図１に示すように、カメラモジュール３０は、筐体５１の、概ね直方体を構成する六面のうちの最も広い一対の面のうちの片面における内面に配設され、当該一対の面のうちのもう片面におけるカメラモジュール３０が対応する位置に設けられた穴から光を入射させる。カメラモジュール３０は、図１に示すように、上記最も広い一対の面のうちの片面（概ね長方形）における一方の短辺に近い側に配設されている。最も広い一対の面のうちの片面（概ね長方形）における他方の短辺に近い側には、携帯電話５０の走査ボタンなどが実装されている。本実施形態の携帯電話５０は、ユーザーが、カメラモジュール３０が配設されている側である上記一方の短辺を天側にして、上記他方の短辺を地面側にした状態で、撮影することを想定している。すなわち、図１に示すＹ１からＹ２に向かう方向を重力方向と等しくした状態で撮影することを想定している。これについては、また後述する。
【００５４】
（スピーカー（磁性体）の構成）
図１に示すスピーカー６０は、振動板と、ボイスコイルと、マグネットを有する磁気回路とを少なくとも備えている。
【００５５】
スピーカー６０は、カメラモジュール３０と同じく、筐体５１の、概ね直方体を構成する六面のうちの最も広い一対の面のうちの片面における内面に固定されている。固定方法は、接着剤を用いたり、ネジを用いたりなど、周知の固定方法を用いて固定すればよい。
【００５６】
本実施形態において特徴的なのは、スピーカー６０のマグネット（マグネットの位置が変化しないタイプのもの）と、カメラモジュール３０のモジュール内永久磁石１５との間に磁力が働くことにある。この点について以下に説明する。なお、以下では、説明の便宜上、このマグネットのことを「スピーカー６０」と称する。
【００５７】
（カメラモジュールとスピーカーとの関係）
カメラモジュール３０は、以上のように、手振れ補正のための可動部に永久磁石（モジュール内永久磁石）が搭載された、いわゆるムービングマグネット方式となっており、可動部は４本のサスペンションワイヤーによって支持されている。したがって、手振れ補正のための可動部は、自重により、サスペンションワイヤーのバネ力と重力とが釣り合う位置まで変位することになる。同様に、可動部に永久磁石を搭載していることで、外部から磁力が働いた場合にも可動部が変位することになる。
【００５８】
図４は、カメラモジュール３０とスピーカー６０との位置関係を示す上面図である。図４は、図１におけるＸ−Ｙ平面をみた状態であり、紙面上側が天側で紙面下側が地面側であり、紙面上側から紙面下側に向けた方向が重力方向と等しい状態をみた図である。
【００５９】
本実施形態では、図４に示す状態において、スピーカー６０（つまり、スピーカーに具備されたマグネット）がカメラモジュール３０よりも地面側のちょうどカメラモジュール３０の真下に配設されている。
【００６０】
また、スピーカー６０は、カメラモジュール３０との対向側にＮ極を配している状態で配設されている。一方、カメラモジュール３０におけるスピーカー６０との対向側に配設されている、可動部のモジュール内永久磁石１５は、スピーカー６０に近接している側にＮ極を向けて配設されている。
【００６１】
ここで、モジュール内永久磁石１５と、スピーカー６０との間には、Ｎ極とＮ極とが対向していることにより反発力が生じる状態となっている。この状態を実現するためには、モジュール内永久磁石１５およびスピーカー６０（つまり、スピーカーに具備されたマグネット）の少なくとも一方の磁石の磁力の強さ、および／または、両者の距離を適宜設定する。
【００６２】
ここで、スピーカー６０は筐体５１に固定されている一方、モジュール内永久磁石１５はカメラモジュールの可動部に設けられている。そのため、図４に示す状態において、可動部は自重により紙面下側に向けて変位するところ、モジュール内永久磁石１５とスピーカー６０とが磁力で反発し合い、その反発力により可動部の紙面下側への変位が相殺される。これにより、可動部は自重による変位を低減することができる。
【００６３】
（本実施形態の作用効果）
通常、手振れ補正機能を動作させた場合、レンズ駆動装置内の変位検出手段を用いて、重力が作用しない初期位置にレンズがくるよう、補正電流を流すように制御する。すなわち、重力が作用した場合は、重力によって変位した可動部を元の位置、すなわち変位する前の位置に戻すように補正電流を加えることになる。したがって、重力の影響が大きいと、その分携帯電話の消費電力も増大することになる。これに対し、本実施形態においては、図４に示した構成を採用し、スピーカー６０を、カメラケース４０を挟んでカメラモジュール３０の可動部のモジュール内永久磁石１５から所定の距離離れた位置に配設していることにより、重力の影響が磁力によって低減されるため、この補正電流も小さくて済み、低消費電力化が可能となる。
【００６４】
なお、本実施形態では、Ｎ極とＮ極との反発力を用いた構成について説明したが、Ｎ極をＳ極に代えて、Ｓ極とＳ極との反発力を用いた構成であってもよい。すなわち、スピーカー６０と、カメラモジュール３０の可動部のモジュール内永久磁石１５との間に反発力が生じるように、スピーカー６０およびモジュール内永久磁石１５の極性が定められていればよい。
【００６５】
また、本実施形態では、図１および図４に示すように、カメラケース４０とスピーカー６０との間に間隙があるが、本発明はこれに限定されるものではなく、カメラケースとスピーカーとを接触させて配置してもよい。
【００６６】
また、本実施形態では、カメラモジュール３０およびカメラケース４０が筐体５１内のスピーカー６０が配設されている面と同じ面に配設されているが、本発明はこれに限定されるものではなく、上述した磁力による自重落下量抑制の効果を奏する範囲で、スピーカー６０が配設されている面とは異なる面にカメラモジュール３０およびカメラケース４０が配設されてもよい。
【００６７】
（変形例１）
上述した実施形態１では、カメラモジュール３０の可動部のモジュール内永久磁石１５が、スピーカー６０に具備されたマグネットによって磁力を与えられている構成について説明している。しかしながら、本発明はスピーカーに限定されるものではなく、電子機器内に搭載された、カメラモジュール（およびカメラケース）以外の構成に具備されたマグネットによってモジュール内永久磁石１５に磁力を与える構成としてもよい。
【００６８】
具体的は、本実施形態のように携帯電話の場合であれば、バイブレータに具備されるマグネットを利用することができる。特に、ムービングコイル型のモータを用いたバイブレータは、磁極の方向を適切に設定することで上述した効果と同等の効果を得ることができる。
【００６９】
なお、本実施形態において説明したスピーカーのマグネットと同等の効果を奏するべく、意図的に、マグネットまたは鉄板を別途貼り付けてもよい。
【００７０】
（変形例２）
本実施形態の変形例を図５に示す。図５は、スピーカー６０が、カメラモジュール３０およびカメラケース４０よりも天側に配設された携帯電話５０を示した平面図であり、図５は図４に対応している。
【００７１】
本変形例では、図５に示す状態において、スピーカー６０（つまり、スピーカーに具備されたマグネット）がカメラモジュール３０よりも天側のちょうどカメラモジュール３０の真上に配設されている。
【００７２】
また、スピーカー６０は、カメラモジュール３０との対向側にＳ極を配している状態で配設されている。一方、カメラモジュール３０におけるスピーカー６０との対向側に配設されている、可動部のモジュール内永久磁石１５は、スピーカー６０に近接している側にＮ極を向けて配設されている。
【００７３】
ここで、スピーカー６０は筐体５１に固定されている一方、モジュール内永久磁石１５はカメラモジュールの可動部に設けられている。そのため、図５に示す状態において、可動部は自重により紙面下側に向けて変位するところ、モジュール内永久磁石１５とスピーカー６０との間に吸引力が生じて、可動部を持ち上げた（引き上げた）状態となる。そのため、可動部の自重による変位量を、吸引力がない場合に比べて小さくすることができる。ここで、重力と吸引力のつり合いが取れた場合は、可動部の自重による変位量は相殺できる。
【００７４】
すなわち、本変形例は、スピーカー６０と、カメラモジュール３０の可動部のモジュール内永久磁石１５との間に吸引力が生じるように、スピーカー６０およびモジュール内永久磁石１５の極性が定められている。
【００７５】
なお、上述の実施形態と本変形例を合わせた構成としてもよい。すなわち、スピーカー６０が、カメラモジュール３０およびカメラケース４０を挟んで、天側と地面側とに設けられていても良い。そして、カメラモジュール３０と、それより地面側に配設されたスピーカー６０との間では反発力を生じさせ、カメラモジュール３０と、それより天側に配設されたスピーカー６０との間では吸引力を生じさせることにより、可動部の自重による変位量を低減または相殺してもよい。
【００７６】
以上の変形例において、Ｎ極とＳ極とは逆であっても構わない。
【００７７】
（変形例３）
本実施形態のさらに別の変形例を、図６を用いて説明する。上述の実施形態１では、概ね直方体を示す筐体５１の長辺が重力方向に平行であったが、本発明の電子機器の一形態である携帯電話は、概ね直方体を示す筐体５１の短辺が重力方向に平行である状態を主たる撮影姿勢とする態様であってもよい。これを図６に示している。
【００７８】
図６に示す本変形例では、概ね直方体を示す筐体５１の一対の長辺のうちの一つの長辺が天側にあり、もう一つの長辺が地面側にあり、一対の短辺が重力方向に平行である状態を示している。
【００７９】
筐体５１の短辺が重力方向に平行である状態を主たる撮影姿勢とする本変形例のような携帯電話では、図６に示す状態において、スピーカー６０（つまり、スピーカーに具備されたマグネット）がカメラモジュール３０よりも天側のちょうどカメラモジュール３０の真上に配設されている。また、この構成において、スピーカー６０は、カメラモジュール３０との対向側にＳ極を配している状態で配設されている。一方、カメラモジュール３０におけるスピーカー６０との対向側に配設されている、可動部のモジュール内永久磁石１５は、スピーカー６０に近接している側にＮ極を向けて配設されている。
【００８０】
この構成によれば、上記変形例２と同じ原理で、モジュール内永久磁石１５とスピーカー６０との間に吸引力が生じて、可動部を持ち上げた（引き上げた）状態となる。そのため、可動部の自重による変位量を、吸引力がない場合に比べて小さくすることができる。
【００８１】
（変形例４）
以上のように、様々な実施形態について説明したが、これらを組み合わせた実施形態としてもよい。たとえば、図５と図６を組み合わせて、カメラモジュールに対して２方向にそれぞれ磁性体を配置する構成も考えられる。ただし、重力が作用しない方向については、磁気力を補正するための電流が必要になってしまう、低消費電力化の効果を相殺してしまうことになる。可能な限り、主たる撮影姿勢を設定し、その姿勢での重力の影響を低減するように磁性体を配置するのが望ましい。
【００８２】
〔第２実施形態〕
本発明に係る電子機器の他の実施形態（第２実施形態）について、図７を参照しつつ説明する。なお、本実施形態では、上記第１実施形態との相違点について説明するため、説明の便宜上、第１実施形態で説明した部材と同一の機能を有する部材には同一の部材番号を付し、その説明を省略する。
【００８３】
図７は、本発明に係る電子機器の第２実施形態である携帯電話５０´の図であり、上述の第１実施形態の図４に対応する図である。
【００８４】
本実施形態の携帯電話５０´は、撮像素子の撮像面が重力方向に平行である状態において、重力に抗する方向にモジュール内永久磁石１５の位置を動かす磁力をもたらす強磁性体７０を、カメラケース４０を挟んでカメラモジュール３０の可動部のモジュール内永久磁石１５から所定の距離離れた位置に配設している。
【００８５】
カメラモジュール３０は、携帯電話５０´が図７に示す状態において、強磁性体７０よりも天側にある。カメラモジュール３０の可動部のモジュール内永久磁石１５は、強磁性体７０の吸引力によって、強磁性体７０に引き寄せられる。その吸引力は、可動部に作用する重力の大きさと等しくなるように設定されている。そのため、可動部の自重による変位は相殺され、撮像レンズの位置が不都合にずれることがない。よって、良好な撮影を実現することができる。
【００８６】
強磁性体７０として用いる材料としては、例えば、鉄あるいはその合金、もしくはマルテンサイト系のステンレス等が挙げられる。
【００８７】
強磁性体７０は、カメラモジュール３０と同じく、筐体５１の、概ね直方体を構成する六面のうちの最も広い一対の面のうちの片面における内面に固定されている。固定方法は、接着剤を用いたり、ネジを用いたりなど、周知の固定方法を用いて固定すればよい。
【００８８】
〔その他〕
なお、第１実施形態および第２実施形態では携帯電話における例を説明しているが、本発明における、カメラモジュールを備えた電子機器は携帯電話に限定されない。電子機器としては、携帯ゲーム機、デジタルカメラ等が挙げられる。
【００８９】
なお、本発明は上述した各実施形態に限定されるものではなく、請求項に示した範囲で種々の変更が可能であり、異なる実施形態または実施例にそれぞれ開示された技術的手段を適宜組み合わせて得られる実施形態または実施例についても本発明の技術的範囲に含まれる。
【産業上の利用可能性】
【００９０】
本発明により、カメラモジュールにおける、レンズを具備する可動部の自重落下による位置ズレを低消費電力にて効果的に解消することができる、手振れ補正機能付きカメラモジュールを搭載した電子機器を提供できる。
【符号の説明】
【００９１】
１  撮像レンズ
２  レンズバレル
３  接着剤
４  レンズホルダー
４ａ  突起部
５  レンズ駆動装置
６  撮像素子
７  基板
８  センサカバー
８ａ  突起
８ｂ  開口
９  ガラス基板
１０  撮像装置
１２ａ  ＡＦバネ
１２ｂ  ＡＦバネ
１３  中間保持部材
１４  ＡＦコイル
１５  モジュール内永久磁石（可動部のマグネット）
１６  サスペンションワイヤー（弾性部材）
１７  モジュールカバー
１８  ＯＩＳコイル
１９  ベース
１９ａ  開口
２０  接着剤
２１  接着剤
３０  カメラモジュール
４０  カメラケース
５０  携帯電話
５１  筐体
５２  ネジ
６０  スピーカー（磁性体、永久磁石）
７０  強磁性体
【図１】
0005985259.tif 000002
【図２】
0005985259.tif 000003
【図３】
0005985259.tif 000004
【図４】
0005985259.tif 000005
【図５】
0005985259.tif 000006
【図６】
0005985259.tif 000007
【図７】
0005985259.tif 000008